(57)【要約】      （修正有）【課題】情報カードを箱体から切り離したとき、情報カードが変形しにくく、情報表示を綺麗に保つことができる情報カード付き包装箱を提供する。【解決手段】箱体形成片１２は、互いに平行に連接されて筒体に組み立てられる側面板１４，１６，１８，２０と、片端に位置する第一の側面板２０に第一折罫線３０を介して連接された補助板２８とを備える。補助板２８は、第一の側面板２０と反対側の端に位置する第二の側面板１４の裏面に重ねて糊付けされる第一補助部２８ａと、第一補助部２８ａから切離可能に第一破断線３２で区切られた第二補助部２８ｂとを備える。第二の側面板１４は、第一補助部２８ａに糊付されて筒体の一部となる本体部５２と、本体部５２から切離可能に第二破断線で区切られた情報カード部５６を備える。情報カード部５６は、第二補助部２８ｂを覆う大きさを有し、表面に情報が印刷され、裏面に第二補助部２８ｂが糊付けされる。【選択図】図２
0003197969.tif 000002
【実用新案登録請求の範囲】
【請求項１】
一枚のブランクシートから一体的に打ち抜かれた箱体形成片から成り、
前記箱体形成片には、互いに平行に連接されて筒体に組み立てられる複数の側面板と、前記複数の側面板のうちの片端に位置する第一の側面板に第一折罫線を介して連接された補助板とが設けられ、
前記補助板には、前記第一の側面板と反対側の端に位置する第二の側面板の裏面に重ねて糊付けされる第一補助部と、前記第一補助部から切離可能に第一破断線で区切られた第二補助部とが設けられ、
前記第二の側面板には、前記第一補助部に糊付されて前記筒体の一部となる本体部と、前記本体部から切離可能に第二破断線で区切られた部分であって、前記第二補助部を覆う大きさを有し、表面に内容物に関する情報が印刷され、裏面に前記第二補助部が糊付けされる情報カード部とが設けられていることを特徴とする情報カード付き包装箱。
【請求項２】
前記第二補助部は、前記補助板の端部であって、前記第一折罫線側の端部から離れた反対側の端部に設けられ、前記第一折罫線と並行する一辺、及びこの一辺の両端から前記第一折罫線と反対の方向に延びる二辺に前記第一破断線が設けられ、この第一破断線により前記第一補助部と区切られている請求項１記載の情報カード付き包装箱。
【請求項３】
前記情報カード部は、前記第二の側面板の端部であって、前記第二の側面板に連接された隣の前記側面板側の端部から離れた反対側の端部に設けられ、前記第一折罫線と並行する一辺、及びこの一辺の両端から前記隣の側面板と反対の方向に延びる二辺に前記第二破断線が設けられ、この第二破断線により前記本体部と区切られている請求項１又は２記載の情報カード付き包装箱。
【請求項４】
前記情報カード部は、前記第二破断線が設けられていない端辺に、前記情報カード部を切り離す際に使用される摘み部が設けられ、前記摘み部の基端部に沿って折り筋が設けられている請求項３に際の情報カード付き包装箱。
【請求項５】
前記情報カード部の少なくとも裏面中央部に、前記第二補助部が糊付けされている請求項２記載の情報カード付き包装箱。
【考案の詳細な説明】
【技術分野】
【０００１】
本考案は、収容物に関する情報が印刷されている部分を切り離して情報カードとして使用できる情報カード付き包装箱に関する。
【背景技術】
【０００２】
商品の陳列や保管に使用される包装箱には、通常、箱体表面に収容物に関する情報（例えば、文字、絵柄、バーコード）が印刷されている。従来から、この情報が印刷された部分を箱体から切り離すことによって情報カードとして利用できる包装箱が提案されている。
【０００３】
例えば、特許文献１に開示されている包装容器は、複数の面から成り、そのうちの少なくとも一面が開封部を有する開封面で、開封面と異なる面の少なくとも一面が外側片及び内側片からなる二重構造であり、外側片には内容物情報が印刷され、外側片の一部または全部が切除されるように、内容物情報の周囲に切除部が設けられている。実施例として、外側片及び内側片からなる二重構造とするために、箱体を形成する４つの側面（内側片を含む）と、糊付をするための折返片の他に、情報カードが設けられた外側片を設けた構成が記載されている。
【先行技術文献】
【特許文献】
【０００４】
【特許文献１】実用新案登録第３１７２０９９号公報
【考案の概要】
【考案が解決しようとする課題】
【０００５】
特許文献１の包装容器は、筒体を形成するための面の数が多いため（４つの側面、折返片、及び外側片）、箱体形成片の使用面積が広くなり、また糊を付ける面積や箇所が多くなって組み立てが面倒になるので、コストがかかるものである。また、箱体形成片は、厚紙等の塑性変形しやすい素材が使用されるので、情報カードを箱体から切り離すとき、情報カードが湾曲してシワが発生したり折れ曲りの跡が残ったりして、情報表示の見栄えが悪くなるという問題がある。特に、情報カードにバーコードが印刷されている場合、情報カードが変形することによって、バーコードリーダで読み取れなくなる可能性がある。
【０００６】
本考案は、上記背景技術の問題点に鑑みて成されたものであり、情報カードを箱体から切り離したとき、情報カードが変形しにくく、情報表示を綺麗に保つことができる情報カード付き包装箱を提供することを目的とする。
【課題を解決するための手段】
【０００７】
本考案は、一枚のブランクシートから一体的に打ち抜かれた箱体形成片から成り、前記箱体形成片には、互いに平行に連接されて筒体に組み立てられる複数の側面板と、前記複数の側面板のうちの片端に位置する第一の側面板に第一折罫線を介して連接された補助板とが設けられ、前記補助板には、前記第一の側面板と反対側の端に位置する第二の側面板の裏面に重ねて糊付けされる第一補助部と、前記第一補助部から切離可能に第一破断線で区切られた第二補助部とが設けられ、前記第二の側面板には、前記第一補助部に糊付されて前記筒体の一部となる本体部と、前記本体部から切離可能に第二破断線で区切られた部分であって、前記第二補助部を覆う大きさを有し、表面に内容物に関する情報が印刷され、裏面に前記第二補助部が糊付けされる情報カード部とが設けられている情報カード付き包装箱である。
【０００８】
前記第二補助部は、前記補助板の端部であって、前記第一折罫線側の端部から離れた反対側の端部に設けられ、前記第一折罫線と並行する一辺、及びこの一辺の両端から前記第一折罫線と反対の方向に延びる二辺に前記第一破断線が設けられ、この第一破断線により前記第一補助部と区切られている構成であることが好ましい。
【０００９】
また、前記情報カード部は、前記第二の側面板の端部であって、前記第二の側面板に連接された隣の前記側面板側の端部から離れた反対側の端部に設けられ、前記第一折罫線と並行する一辺、及びこの一辺の両端から前記隣の側面板と反対の方向に延びる二辺に前記第二破断線が設けられ、この第二破断線により前記本体部と区切られている構成であることが好ましい。この場合、前記情報カード部は、前記第二破断線が設けられていない端辺に、前記情報カード部を切り離す際に使用される摘み部が設けられ、前記摘み部の基端部に沿って折り筋が設けられている構成であることが好ましい。
【００１０】
前記情報カード部の少なくとも裏面中央部に、前記第二補助部が糊付けされていると良いものである。
【考案の効果】
【００１１】
本考案の情報カード付き包装箱は、情報カード部に第二補助部が重なって糊付されて情報カード部が補強されているので、箱体から切り離すときに情報カード部が変形しにくく、情報カード部の情報表示を綺麗に保つことができる。また、箱体形成片の使用面積もさほど大きくならず、組み立ても容易である、
【図面の簡単な説明】
【００１２】
【図１】本考案の情報カード付き包装箱の一実施形態を示す斜視図である。
【図２】この実施形態の情報カード付き包装箱の箱体形成片の展開図（裏面側）である。
【図３】図２の箱体形成片の組み立て工程を示す図（ａ），（ｂ）である。
【図４】図２の箱体形成片の組み立て工程を示す図（ａ），（ｂ），（ｃ）である。
【図５】図２の箱体形成片の組み立て工程を示す図（ａ），（ｂ），（ｃ）である。
【図６】この実施形態の情報カード付き包装箱を開封した状態を示す斜視図（ａ）、再封した状態を示す斜視図（ｂ）である。
【図７】この実施形態の情報カード付き包装箱の筒体から情報カード部を切り離す操作を説明する斜視図（ａ）、情報カード部及び情報表示フラップを切り離した状態を示す斜視図（ｂ）である。
【図８】第二補助部の変形例を示す箱体形成片の展開図（裏面側）である。
【考案を実施するための形態】
【００１３】
以下、本考案の情報カード付き包装箱の一実施形態について、図面に基づいて説明する。この実施形態の情報カード付き包装箱１０は、図１に示すように、略直方体の箱体であり、厚紙等の一枚のブランクシートを一体的に打ち抜いた箱体形成片１２を組み立てることによって形成される。
【００１４】
図２は、箱体形成片１２を裏面側から見た展開図であり、箱体形成片１２は、互いに平行に連接された４つの側面板１４，１６，１８，２０を有し、各々折罫線２２，２４，２６で区切られている。４つの側面板１４，１６，１８，２０は、連接方向と直交する幅方向の長さが同じで、連接方向の長さは、側面板１６，２０が少し長くて互いに同じであり、側面板１４，１６が少し短くて互いに同じである。以下、連接方向の片端に位置する側面板２０を第一の側面板２０、第一の側面板２０と反対側の端に位置する側面板１４を第二の側面板１４と称する。
【００１５】
第一の側面板２０の連接方向の端部には、略矩形の補助板２８が延設され、第一折罫線３０で第一の側面板２０と区切られている。補助板２８の延出方向長さは、第二の側面板１４の連接方向長さより短く且つ約1/2以上であり、ここでは約3/5である。補助板２８には、第二の側面板１４の裏面に重ねて糊付けされる第一補助部２８ａと、第一補助部２８ａから切離可能に第一破断線３２で区切られた第二補助部２８ｂとが設けられている。第二補助部２８ｂは、補助板２８の端部であって、第一折罫線３０側の端部から離れた反対側の端部に設けられており、第一折罫線３０と並行する曲線状の一辺、及びこの一辺の両端から第一折罫線３０と反対の方向に延びる二辺に第一破断線３２が設けられ、第一破断線３２により第一補助部２８ａと区切られている。
【００１６】
第一の側面板２０の、連接方向に対して直角方向の一端部には、略矩形の第一の蓋片３４が延設され、折罫線３６で第一の側面板２０と区切られている。第一の蓋片３４の延出方向長さは、側面板１８の連接方向長さとほぼ同じである。第一の蓋片３４は、延出方向のほぼ中央部にＶ字状の開封用破断線３８が設けられ、基端側部分３４ａと先端側部分３４ｂとに区切られている。さらに、開封用破断線３８のＶ字状の頂点の位置に細長い透孔４０が設けられ、基端側部分３４ａの中央部に折罫線３６と略平行な切り込み４２が設けられている。
【００１７】
第一の側面板２０の他端部には、第一の蓋片３４と同形の第一の底片４４が延設され、折罫線４６で第一の側面板２０と区切られている。さらに、折罫線４６に沿うように、第一の底片４４の基端部両端から内向きに分解用破断線４８ａが設けられ、第一の側面板２０の内側に、分解用破断線４８ａの内側両端を起点として連続する分解用破断線４８ｂと第一の折罫線４６とで囲まれた押圧部５０が設けられている。
【００１８】
第二の側面板１４には、補助板２８の第一補助部２８ａに糊付されて筒体の一部となる本体部５２と、第二補助部２８ｂを覆う大きさを有し、本体部５２から切離可能に第二破断線５４で区切られた情報カード部５６とが設けられている。
【００１９】
情報カード部５６は、第二の側面板１４の端部であって、折罫線２２側の端部から離れた反対側の端部に設けられており、第一折罫線３０とほぼ平行な一辺、及びこの一辺の両端から折罫線２２と反対の方向に延びる二辺に第二破断線５４が設けられ、第二破断線５４により本体部５２と区切られている。情報カード部５６の第二破断線５４が設けられていない端辺は、２箇所がＶ字状に切り込まれ、その間に摘み部５６ａが形成されている。さらに、摘み部５６ａの基端部に沿って、折り筋５８が設けられている。情報カード部５６の表面には、収容物に関する情報（文字、絵柄、バーコード等）が印刷されており、裏面の少なくとも中央部から折罫線６２，６６側に渡って第二補助部２８ｂの表面に糊付けされる。
【００２０】
第二の側面板１４の、連接方向に対して直角方向の一端部（第一の蓋片３４側の端部）には、台形状のフラップ６０が延設され、折罫線６２で第二の側面板１４と区切られている。第二の側面板１４の他端部にも、同様のフラップ６４が延設され、折罫線６６で第二の側面板１４と区切られている。
【００２１】
側面板１６の、連接方向に対して直角方向の一端部（第一の蓋片３４側の端部）には、略矩形の第二の蓋片６８が延設され、折罫線７０で側面板１６と区切られている。第二の蓋片６８の延出方向長さは、第一の蓋片３４よりも少し短い。第二の蓋片６８は、先端部の２箇所がＶ字状に切り込まれ、その間に舌片状の再封部６８ａが形成されている。再封部６８ａは、第一の蓋片３４の切り込み４２に差し込み可能な形状になっている。側面板１６の他端部には、第二の蓋片６４とほぼ同形の第二の底片７２が延設され、折罫線７４で側面板１６と区切られている。
【００２２】
側面板１８の、連接方向に対して直角方向の一端部（第一の蓋片３４側の端部）には、台形状のフラップ７６が延設され、折罫線７８で側面板１８と区切られている。側面板１８の他端部にも、同様のフラップ８０が延設され、折罫線８２で側面板１８と区切られている。
【００２３】
次に、情報カード付き包装箱１０の組立方法の一例について説明する。ここで、箱体形成片１２の表面が凸になる折り方を正折り、そして裏面が凸になる折り方を逆折りと称する。
【００２４】
まず、図３（ａ）に示すように、第一折罫線３０を正折りする。そして、補助板２８の第一補助部２８ａの表面の、第二補助部２８ｂの両端付近の２箇所に糊８４を塗布し、第補助部２８ｂの表面に糊８６を塗布した後、図３（ｂ）に示すように、折罫線２４を正折りする。これにより、第一補助部２８ａの表面が第二の側面１４の本体部５２の裏面に糊付され、第二補助部２８ｂの表面が情報カード部５６の裏面に糊付され、箱体形成片１２が折り畳まれた状態となる。情報カード付き包装箱１０は、この状態で出荷される。
【００２５】
次に、商品を収容し包装する工場等において、折罫線２２，２４，２６，３０を各々９０°に正折りし、４つの側面板１４，１６，１８，２０及び補助板２８で筒体を形成する。そして、図４（ａ）、（ｂ）、（ｃ）に順に示すように、筒体の一方の端部の折罫線６６，８２でフラップ６４，８０を９０°に正折りし、折罫線７４で第二の底片７２を９０°に正折りし、第二の底片７２の表面に糊８８を塗布した後、第一の底片４４を折罫線４６で正折りする。これにより、第一の底片４４の裏面が第二の底片７２の表面に糊付され、筒体の一方の端部を閉鎖する底部が形成される。
【００２６】
筒体の開放している側の端部から商品を入れると、図５（ａ）、（ｂ）、（ｃ）に順に示すように、折罫線６２，７８でフラップ６０，７６を９０°に正折りし、折罫線７０で第二の蓋片６８を９０°に正折りし、第二の蓋片６８の表面の折罫線７０寄りの位置に糊９０を塗布した後、第一の蓋片３４を折罫線３６で正折りする。これにより、第一の蓋片３４の先端側部分３４ｂの裏面が第二の蓋片６８の表面に糊付されて蓋部が形成され、図１に示す組み立て状態になる。
【００２７】
次に、情報カード付き包装箱１０を開封及び再封する操作について説明する。開封するときは、第一の蓋片３４の基端側部分３４ａの透孔４０側の端部に指を添え、基端側部分３４ａを引き上げるようにして開封用破断線３８を破断させる。そして、図６（ａ）に示すように、第二の蓋片６８及びフラップ６０，７２を順に引き上げて筒体の端部を開放し、中の商品を取り出す。このとき、先端側部分３４ｂが第一の蓋片３４の基端側部分３４ａから分離するが、第二の蓋片６８に糊付けされているので、ゴミにはならない。
【００２８】
また、図７（ａ）、（ｂ）に示すように、情報カード部５６の摘み部５６ａを摘んで補助板２８から引き離し、第二破断線５４を破断させると、情報カード部５６を第二の側面板１４から分離させることができる。このとき、補助板２８の第二補助部２８ｂが情報カード部５６に糊付けされているため、第一破断線３２もほぼ同時に破断し、第二補助部２８ｂが補助板２８から分離し、その結果、情報カード部５６と第二補助部２８ｂとが一体に箱体から切り離される。情報カード部５６は、第二補助部２８ｂが重なって補強されているので、摘み部５６ａを摘んで補助板２８から引き離す操作を行う際に変形しにくい。また、この操作を行うとき、摘み部５６ａの基端部の折り筋５８が情報カード部５６を撓ませる力を吸収するので、情報カード部５６の内側部分がシワになったり折れ曲がったりしにくい。したがって、情報カード部５６に印刷されている表示が綺麗に保持される。
【００２９】
取り出した商品を中に戻して再封するときは、フラップ６０，７６を９０°に正折して元に戻し、第一の蓋片３４の基端側部分３４ａを正折りしてフラップ６０，７６に重ね、さらに第二の蓋片６８を正折りし、図６（ｂ）に示すように、再封部６８ａを基端側部分３４ａの切り込み４２に差し込んで係合させ、蓋部を形成する。
【００３０】
情報カード付き包装箱１０を廃棄するため分解するときは、第一の側面板２０の押圧部５０を指で押してＵ字状の分解用破断線４８ｂを破断させ、重なっている第一及び第二の底片４４，７２を摘んで引き上げるようにして分解用破断線４８ａを破断させ、底部の閉鎖を解除する。これで情報カード付き包装箱１０を薄く折り畳むことができるようになり、コンパクトな形で廃棄することができる。
【００３１】
以上説明したように、情報カード付き包装箱１０は、情報カード部５６を切り離す際に情報カード部５６が変形しにくいので、情報カード部５６の情報表示を綺麗に保つことができる。例えば、情報カード部５６に複雑又は精密なバーコードが表示されていた場合でも、バーコードが不鮮明にならず、バーコードリーダで問題なく読み取ることができる。
【００３２】
また、箱体形成片１２の使用面積もさほど大きくならず、組み立ても容易である。特に、情報カード部５６を第二の側面板１４の折罫線２２から離れた端部に設け、第二の補助部２８ｂを補助板２８の第一折罫線３０から離れた端部に設けることにより、補助板２８の面積を極力小さくすることができる。
【００３３】
なお、本考案の情報カード付き包装箱は、上記実施形態に限定されるものではない。例えば、第二補助部は、情報カード部の情報表示部分を補強できる形状であればよく、図２に示す第二補助部２８ｂのように、一辺が外向きに湾曲した等脚台形状にしてもよいし、図８に示す第二補助部２８ｂ(1)のように、一辺が内向きに湾曲した等脚台形状にしてもよく、その他、長方形、楕円形、楕円形等、自由に変更することができる。
【００３４】
情報カード部は、第二の側面板の他の位置に設けてもよく、例えば第二の側面板の端部ではなく、内側に設けてもよい。情報カード部の形状についても自由に変更することができる。情報カード部の位置や形状を変更するときは、それに合わせて、第二補助部の位置や形状も変更する。また、摘み部の位置や形状も適宜変更することができ、摘み部が不要であれば省略してもよい。
【００３５】
複数の側面板、蓋片、底片、フラップの大きさや形状も、用途に合わせて自由に変更することができ、開封、再封及び分解するための構造も自由に変更することができる。
【符号の説明】
【００３６】
１０  情報カード付き包装箱
１２  箱体形成片
１４  第二の側面板
１６，１８  側面板
２０  第一の側面板
２８  補助板
２８ａ  第一補助部
２８ｂ  第二補助部
３０  第一折罫線
３２  第一破断線
５２  本体部
５４  第二破断線
５６  情報カード
５６ａ  摘み部
５８  折り筋
８４，８６  糊
【図１】
0003197969.tif 000003
【図２】
0003197969.tif 000004
【図３】
0003197969.tif 000005
【図４】
0003197969.tif 000006
【図５】
0003197969.tif 000007
【図６】
0003197969.tif 000008
【図７】
0003197969.tif 000009
【図８】
0003197969.tif 000010